(57)【特許請求の範囲】
【請求項１】
壁体に組み込まれる郵便受けの設置構造であって、
前記壁体は取付孔を有し、
前記壁体の取付孔に組み込まれ、前面に投入口を有するポスト本体と、
このポスト本体に隣接して前記壁体の壁面に取り付けられるインターフォンと、
前記投入口の外周および前記インターフォンの外周を一体に囲うように配設された、上面に溝を有する取付枠と、
前記投入口の周囲および前記インターフォンの前面を一体に覆うように取り付けられるポストカバーとを備え、
前記ポスト本体は、前面上寄りに投入口を有し、この投入口の下方に下側固定金具が上下動可能に配設されており、
前記ポストカバーは、裏面に、前記取付枠の上面の溝と嵌合する突起を有する係止部と、ポストカバーの裏面に接する立設面部とからなる上側固定金具が配設されており、
前記取付枠の上面の溝に前記上側固定金具の突起を嵌め込むとともに、前記ポストカバーの底面部と前記下側固定金具とを、固定具を用いて固定して取り付け可能とされていることを特徴とする郵便受けの設置構造。
【請求項２】
前記取付枠が四方枠であることを特徴とする請求項１に記載の郵便受けの設置構造。
【発明の詳細な説明】
【技術分野】
【０００１】
本発明は、郵便受けの設置構造に関する。
【背景技術】
【０００２】
従来より、住宅等の建物の門柱、門袖、ブロック塀等の建物外構部を構成する壁体には、郵便受け、インターフォン、表札、照明等の設備部材が設置されている。近年では、これらの設備部材について、建物の顔としての役割が求められており、設置施工の容易性とともにデザイン上の統一感が求められている。
【０００３】
例えば、特許文献１の郵便受けの設置構造では、インターフォンが郵便受けのポスト本体に収納されており、しかもポスト本体の前面に化粧用のポストカバーが取り付けられている。このように、複数の設備部材があらかじめ一体化された製品を用いることにより、意匠性の高い郵便受けの設置構造を建物外構部の壁体に設置することができるとされている。
【０００４】
しかしながら、この郵便受けの設置構造では、インターフォンが故障した際に、郵便受け全体を壁体から取り外し、修理、交換する必要が生じ、修理中の壁体においては取付孔が露出し、意匠性が低下するという問題があった。
【０００５】
このような背景から、特許文献２の郵便受けの設置構造のように、ポスト本体を含む複数の設備部材をそれぞれ別体として独立した形状で建物外構部の壁体に設置した後、設備部材の前面を覆うように、化粧用のポストカバーを取り付けた郵便受けの設置構造が提案されている。
【０００６】
この郵便受けの設置構造では、外装材が取り付けられていない壁体の下地材に、固定具を用いて複数の設備部材が固定されており、これらの設備部材の前面および壁体の下地材を覆うように化粧用のポストカバーが配設されている。このため、それぞれの設備部材があたかも一体化しているかのようなデザイン上の統一感のある外観を付与することができるとされている。
【先行技術文献】
【特許文献】
【０００７】
【特許文献１】実開平３−８９６７９号公報
【特許文献２】特開平１０−７２９５６号公報
【発明の概要】
【発明が解決しようとする課題】
【０００８】
しかしながら、特許文献２の郵便受けの設置構造では、壁体の上端部に近く、人の手や工具の届きにくい箇所において、固定具を用いてポストカバーを固定している。このため、必ずしもポストカバーの取り付け、取り外しの際のメンテナンス性が良好であるとは言い難い側面があった。
【０００９】
本発明は、このような従来の問題点に鑑みてなされたものであり、ポスト本体およびインターフォンが一体化したデザイン上の統一感があり、ポストカバーを固定する固定具が目立たず、すっきりとした外観を備える意匠性の高い郵便受けの設置構造を提供することを課題としている。さらにまた、施工性およびメンテナンス性に優れた郵便受けの設置構造を提供することも課題としている。
【課題を解決するための手段】
【００１０】
上記の課題を解決するために、本発明の郵便受けの設置構造は、壁体に組み込まれる郵便受けの設置構造であって、壁体は取付孔を有し、壁体の取付孔に組み込まれ、前面に投入口を有するポスト本体と、このポスト本体に隣接して前記壁体の壁面に取り付けられるインターフォンと、前記投入口の外周および前記インターフォンの外周を一体に囲うように配設された、上面に溝を有する取付枠と、前記投入口の周囲および前記インターフォンの前面を一体に覆うように取り付けられるポストカバーとを備え、前記ポスト本体は、前面上寄りに投入口を有し、この投入口の下方に下側固定金具が上下動可能に配設されており、前記ポストカバーは、裏面に前記取付枠の上面の溝と嵌合する突起を有する係止部と、前記ポストカバーの裏面に接する立設面部とからなる上側固定金具が配設されており、前記取付枠の上面の溝に前記上側固定金具の突起を嵌め込むとともに、前記ポストカバーの底面部と前記下側固定金具とを、固定具を用いて固定して設置可能とされていることを特徴としている。
【発明の効果】
【００１１】
本発明の郵便受けの設置構造によれば、ポスト本体およびインターフォンが一体化したデザイン上の統一感があり、ポストカバーを固定する固定具が目立たず、すっきりとした外観を備える意匠性の高い郵便受けの設置構造を提供することができる。さらにまた、施工性およびメンテナンス性に優れた郵便受けの設置構造を提供することができる。
【図面の簡単な説明】
【００１２】
【図１】本発明の郵便受けの設置構造の一実施形態における縦断面図である。
【図２】取付枠およびポストカバーの分解斜視図である。
【図３】取付枠とポストカバーに配設された上側固定金具の突起の取り付け状態を示した拡大縦断面図である。
【図４】取付枠と下側固定金具およびポストカバーの取り付け状態を示した拡大縦断面図である。
【図５】下側固定金具の概略斜視図である。
【図６】（Ａ）〜（Ｆ）は、本発明の郵便受けの設置構造の施工のための一実施形態を示した概略工程斜視図である。
【発明を実施するための形態】
【００１３】
以下に、本発明の郵便受けの設置構造について、図面に沿って詳細に説明する。
【００１４】
なお、本明細書中において、「中央部」とは、まさに中央を含む他、当該部材を外観したとき、ほぼ中央と認識し得る部分も含む。
【００１５】
また、本明細書中において、「隣接する」とは、まさに隣接する状態を含む他、当該部材を外観したとき、ほぼ隣接していると認識し得る部分も含む。
【００１６】
図１は、本発明の郵便受けの設置構造の一実施形態における縦断面図である。
【００１７】
郵便受けの設置構造１では、壁体２の取付孔２１に組み込まれ、前面３１に投入口３２を有しており、郵便物、宅配物等の比較的小型の配達物を収納する収納空間を有する中空の箱体であるポスト本体３とを備えている。また、ポスト本体３に隣接して壁体２の壁面２２に取り付けられるインターフォン４を備えている。さらに、図２の分解斜視図にも示されているように、投入口３２の外周およびインターフォン４の外周を一体に囲うように配設された、上面に溝５１を有する取付枠５を備えている。そして、投入口３２の周囲およびインターフォン４の前面を一体に覆うように取り付けられるポストカバー６をも備えている。この郵便受けの設置構造１においては、ポスト本体３は、前面３１の上寄りに投入口３２を有し、投入口３２の下方に下側固定金具７が上下動可能に配設されている。ポストカバー６は、裏面６１に取付枠５の上面の溝５１と嵌合する突起８１を有する係止部８２と、ポストカバー６の裏面６１に接する立設面部８３とからなる上側固定金具８が配設されている。そして、郵便受けの設置構造１では、取付枠５の上面の溝５１に上側固定金具８の突起８１を嵌め込むとともに、ポストカバー６の底面部６２と下側固定金具７とを、固定具９を用いて固定して取り付け可能とされている。
【００１８】
壁体２は、建物外構部の一部を構成する構造物であり、ポスト本体３を嵌め込み可能な取付孔２１が開口されている。このような壁体２の取付孔２１にポスト本体３を嵌め込み、壁体２に組み込むことにより、郵便受けの設置構造１を取り付け施工することができる。
【００１９】
図１での壁体２は、模式的に図示されたものであって、例えば、複数のコンクリートブロックを上下左右にモルタル等の目地材を介して積み重ね、左右方向に並ぶブロック間や上下方向に並ぶブロック間に鉄筋を配して形成されたブロック塀が例示される。また、壁体２は、各種の塀、門柱等の敷地境界部に配設された建物外構部を形成する、いわゆる壁状のものを意味する。このような壁体２には、例えば、ＲＣ施工により形成される、すなわち、鉄筋コンクリート製のものも含まれる。
【００２０】
壁体２がブロック塀である場合、ポスト本体３の設置位置、例えば、基準となる地面からの高さが８００〜１２００ｍｍの位置にあるブロックが取付孔２１を有しており、この取付孔２１にポスト本体３が嵌めこまれて設置されている。あるいは、取付孔２１を有するブロックに、あらかじめポスト本体３を嵌め込み、これを、施工中のブロック塀の所定の設置位置に組み込んで壁体２とすることも考慮される。この場合、所定の設置位置の直下のブロックの上に、モルタル等の目地材を介してポスト本体３を嵌め込んだブロックが配置される。さらにその上面に目地材を介してブロックが載置され、ポスト本体３は、壁体２と固定一体化される。
【００２１】
壁体２が鉄筋コンクリート製である場合、あらかじめポスト本体２の外形寸法に対応して、たとえば、縦横が３００ｍｍ×４００ｍｍ程度の取付孔２１としての開口部が形成されるように壁材を養生することが好ましく考慮される。この壁材の養生後に、ポスト本体３を取付孔２１に嵌め込み、ポスト本体３と取付孔２１との間の隙間を、壁材の前後においてシーリング処理してポスト本体３を設置することができる。
【００２２】
ポスト本体３は、郵便受けの本体を構成する設備部材であり、図１に示すように、前面３１の上寄りに配達物を投入する投入口３２を有している。投入口３２には、ポスト本体３の内部空間に向かって回動可能なフラップ３３が配設され、フラップ３３の回動によって投入口３２の開閉が自在とされている。フラップ３３の内部空間への回動は、配達物の先端をフラップ３３に当接し、押圧することによって行われ、投入口３２が開き、配達物がポスト本体３に投入され、収納される。フラップ３３は、自重により回動して初期位置に復帰し、投入口３２を閉鎖する。
【００２３】
ポスト本体３の後面部３４には、配達物の取出口３５が形成されるとともに、取出口３５を開閉する取出蓋３６が配設されている。取出蓋３６には、例えば、ダイヤル錠３７が付設され、設定したダイヤル番号を入力することにより取出蓋３６を必要時に開けることができるようにしている。取出蓋３６は、図１においては、ポスト本体３の上端部を中心として前後に回動自在に配設され、取出蓋３６を開けることによってポスト本体３に収納された配達物を取り出すことができるようにしている。なお、取出蓋３６は、ポスト本体３の下端部を中心として前後に回動自在に配設されていてもよい。
【００２４】
ポスト本体３の前面３１は、壁体２の壁面２２と同一平面上に配置されるように取り付けられている。なお、同一平面とは、まさに同一平面を含む他、壁体２を外観したとき、ほぼ同一平面と認識し得る部分も含む。ポスト本体３がこのように配置されることにより、投入口３２が過度に目立つことがなくなり、すっきりとした意匠性の高い外観が実現される。
【００２５】
ポスト本体３は、屋外に設置し、風雨にさらされることを考慮すると、例えば、防錆性に優れたＳＵＳ３０４鋼板やガルバリウム鋼板（登録商標）等の鋼板から形成することが好ましく考慮される。前記鋼板の厚みとしては、例えば、０．５〜０．８ｍｍであることが例示される。
【００２６】
インターフォン４は、ポスト本体３とは別体として、ポスト本体３に隣接して壁体２の壁面２２に取り付けられている。インターフォン４の取り付けは、例えば、壁体２に固定具を用いて直接固定する方法が例示される。あるいは、壁体２の壁面２２に外装材が取り付けられている場合は、この外装材に、壁体２の壁材に達する貫通孔を開口し、前記外装材ごと固定具を用いて固定する方法等が例示される。
【００２７】
インターフォン４としては、通常、住宅等の建物に設置されているものであれば、特に制限されることはなく、例えば、カメラ付インターフォン、建物内と音声通話が可能なインターフォン等が例示される。また、ドアチャイムのみのものも使用することができる。
【００２８】
取付枠５は、図２および図３に示すように、上面に、後述の上側固定金具８の上面部８２に設けられた突起８１を嵌合することができる溝５１を有しており、壁体２の壁面２２に固定具等を用いて、投入口３２の外周およびインターフォン４の外周を一体に囲うように取り付けられる。
【００２９】
取付枠５は、例えば、互いに平行に対向配置された一対の横枠５ａおよび互いに平行に対向配置された一対の縦枠５ｂから矩形形状に組み立てられ、横枠５ａと縦枠５ｂとが隣接する端縁で相互に連結されている四方枠であることが好ましく考慮される。この場合、横枠５ａおよび縦枠５ｂの連結には、例えば、金属製の連結具等を用いることが例示される。横枠５ａおよび縦枠５ｂは、中実の構造であってもよいし、中空の構造であってもよい。
【００３０】
溝５１は、取付枠５の上面の長手方向の全長に亘って連続的に形成されていてもよいし、後述の上側固定金具８の突起８１が設けられた位置と対応する位置に非連続な凹部として形成されていてもよい。溝５１が、取付枠５の上面の長手方向の全長に亘って連続的に形成されている場合、横枠５ａの短手方向の断面形状は、一部を切り欠いた矩形状であることが好ましく考慮される。
【００３１】
取付枠５の材質としては、例えば、アルミニウムダイカスト、ステンレス鋼製等の金属材が例示され、十分な剛性を持たせることが好ましく考慮される。
【００３２】
なお、取付枠５は、周方向に連続した形状に限らず、周方向の一部が非連続となった形状も含む。取付枠５の上面の溝５１に、後述の上側固定金具８の突起８１が係止されればよいので、取付枠５としては、例えば、互いに平行に対向配置された一対の横枠５ａのみからなる形状であってもよい。さらには、上方の横枠５ａが一本のみ配置された形状であってもよい。
【００３３】
ポストカバー６は、例えば、図２および図３に示すように、裏面６１に後述の上側固定金具８が配設されており、底面部６２の中央部に貫通孔６３を有している。ポストカバー６は、上側固定金具８の突起８１を取付枠５の上面の溝５１に嵌め込むとともに、ポストカバー６の底面部６２と後述の下側固定金具７の水平面部７１の中央部に開口した貫通孔７３に固定具９を挿通し、締結することで壁体２およびポスト本体３に取付可能とされている。このようにして、ポストカバー６は、ポスト本体３の前面３１およびインターフォン４の前面を一体的に覆う。これによって、それぞれの設備部材があたかも一体化しているかのようなデザイン上の統一感のある外観を付与することができる。
【００３４】
また、ポストカバー６は、複数の設備部材を覆う化粧用の設備部材としての機能のみならず、表札としての機能を兼ね備えている。氏名等をポストカバー６の前面に直接的に表示してもよいし、氏名等が記載されたプレートをポストカバーの前面に固定することも可能である。ポストカバー６の前面に氏名等を直接的に表示する場合、例えば、レーザー加工や切削加工等により刻印することが例示される。ポストカバー６の前面は、平滑面であっても良いし、凹凸面であってもよい。
【００３５】
ポストカバー６の材質としては、例えば、ステンレス鋼板、板状の石材、人造大理石等の板状の樹脂成型品等が例示される。
【００３６】
下側固定金具７は、例えば、図４および図５に示すように、断面Ｌ字状の金具であり、水平面部７１と垂直面部７２とを有する。水平面部７１の中央部には、固定具を挿通して固定するための貫通孔７３が設けられており、垂直面部７２には、左右方向に間隔をおいて少なくとも２つの貫通孔７４が設けられている。貫通孔７４の形状は、高さ方向に長軸を有する長円形であることが好ましく考慮される。長円形の貫通孔７４に固定具７５を挿通し、固定具７５と垂直面部７２との間に隙間を開けて締め込まないように取り付けると、下側固定金具７は、図５中の矢印で示したように、貫通孔７４の長軸方向の長さ分だけ上下動が可能となる。上側固定金具８の突起８１を、取付枠５の上面の溝５１に嵌め込む際に、下側固定金具７を上方に可動させることで、下側固定金具７の水平面部７１が、ポストカバー６の底面部６２に干渉することなく、上側固定金具８の突起８１を、取付枠５の上面の溝５１に嵌め込むことができる。続いて、下側固定金具７を下方に可動させることで、水平面部７１とポストカバー６の底面部６２に設けられた貫通孔７３、６３に後述の固定具９を挿通させて固定することにより、ポストカバー６の取り付けが安定したものとなる。一方、ポストカバー６の取り外し時には、上記の手順とは逆になる。すなわち、固定具９を取り外した後に、ポストカバー６ごと下側固定金具を上方に可動させて、上側固定金具８の突起８１と取付枠５の溝５１の嵌合を解除することにより、ポストカバー６の前面側から取り外し作業を効率よく行うことができる。したがって、ポストカバー６の取り付けおよび取り外し時に、ポストカバー６ごと下側固定金具７を上下に可動させることにより、施工時の作業性を向上させることができる。
【００３７】
上側固定金具８は、図２および図３に示すように、取付枠５の上面の溝５１と嵌合する突起８１を有する係止部８２と、ポストカバー６の裏面６１と接する立設面部８３とからなり、ポストカバー６の裏面６１に配設されている。立設面部８３には、固定具を用いてポストカバー６の裏面６１と上側固定金具８とを固定可能な貫通孔６３が設けられている。
【００３８】
上側固定金具８は、例えば、一枚の板状の金属材料を曲げ加工することにより形成されており、取付枠５の上面の溝６と嵌合する突起８１も、係止部８２の端縁部分を折り曲げ加工することで形成されている。
【００３９】
このような上側固定金具８の突起８１を、取付枠５の上面の溝５１に嵌め込むとともに、ポストカバー６の底面部６２の中央部に設けられた貫通孔６３と、下側固定金具７の水平面部７１の中央部に設けられた貫通孔７３とに、下方より上向きに固定具９を挿通する。そして、固定具９を締結することにより、ポストカバー６が壁体２から容易に外れず、しかも固定具９が目立たずすっきりとした外観を有する、意匠性の高い郵便受けの設置構造１は実現される。
【００４０】
図６（Ａ）〜（Ｆ）は、本発明の郵便受けの設置構造の施工のための一実施形態について示した概略工程斜視図である。
【００４１】
壁体２は、図６（Ａ）〜（Ｆ）においては、模式的に縦方向に短く、横方向に長いブロック状の構造物として描画されているが、実際には、複数のブロックが上下左右方向に積み上げられて構成されるブロック塀や鉄筋コンクリート製の建物外構部である。以下では、壁体の厚み方向を前後方向とし、壁体の横方向を左右方向とし、壁体の縦方向を上下方向として、各構成について説明する。
【００４２】
ポスト本体３は、例えば、投入口３２が壁体２の前端よりも後方になるように配置する。ポスト本体３の前寄りの部分が目地材を介して壁体２の取付孔２１内に配され、ポスト本体３の他の部分が壁体２の後端よりも後方に突出するように、壁体２の取付孔２１内に取り付けられる。
【００４３】
まず、図６（Ａ）、（Ｂ）に示すように、壁体２が有する取付孔２１内にポスト本体３を組み込む。ポスト本体３の上面部には、ゴム等の弾性体から形成されたスペーサー等が取り付けられていることが好ましく考慮される。
【００４４】
図６（Ｂ）に示すように、ポスト本体３の前面３１において、投入口３２の下方に下側固定金具７を上下動可能に配設する。このとき、図５のように、下側固定金具７の長円形の貫通孔７４に固定具７５を挿通し、固定具７５と垂直面部７２との間に隙間を開けて締め込まないように取り付けることが好ましく考慮される。このようにして下側固定金具７を取り付けると、下側固定金具７は、図５中の矢印で示したように、貫通孔７４の長軸方向の長さ分だけ上下動が可能となる。このため、ポストカバー６の取り付けおよび取り外し時に、ポストカバー６ごと下側固定金具７を上下に可動させることにより、施工時の作業性を向上させることができる。
【００４５】
下側固定金具７の取り付け後、図６（Ｃ）に示すように、ポスト本体３と隣接する壁体２の壁面２２にインターフォン４を取り付ける。インターフォン４の取り付けは、例えば、壁体２に固定具を用いて直接固定する方法が例示される。あるいは、壁体２の壁面２２に外装材が取り付けられている場合は、この外装材に、壁体２の壁材に達する貫通孔を開口し、前記外装材ごと固定具を用いて固定する方法等が例示される。
【００４６】
次いで、図６（Ｄ）に示すように、ポスト本体３の前面に設けられた投入口３２の外周およびインターフォン４の外周を一体に囲うように、図２および図３のように、上面に溝５１を有する取付枠５を壁体２の壁面２２に設置する。取付枠５の設置には、固定具等を用いることが考慮される。
【００４７】
取付枠５の設置後、図６（Ｅ）に示すように、壁体２の壁面２２の表面仕上げを目的として、例えば、壁面２２および取付枠５の外側のポスト本体３前面にモルタル２３を塗装する。このとき、モルタル２３は、取付枠５に囲まれた範囲の外側にのみ塗布されるので、取り付け枠５は、投入口３２の周囲およびインターフォン４にモルタル２３が付着しないように区切る役割も果たしている。また、図６（Ｄ）に示すように、取付枠５の上下寸法をポスト本体３の上下寸法より小さくし、ポスト本体３の前面の一部を取付枠５の外側にはみ出すようにし、このはみ出した部分にモルタル２３を塗装するようにしてもよい。この場合、郵便受けの大きさを小さく見せることができ、更にすっきりとした外観を備える意匠性の高い郵便受けの設置構造を提供することができる。
【００４８】
このようにして、表面仕上げのモルタルが塗布された壁体２の壁面２２に、図６（Ｆ）に示すように、ポストカバー６を取り付ける。図２および図３のように、ポストカバー６の裏面６１に配設された上側固定金具８の突起８１を、取付枠５の上面の溝５１に嵌め込む。このとき、下側固定金具７を上方に可動させることで、下側固定金具７の水平面部７１が、ポストカバー６の底面部６２に干渉することなく、上側固定金具８の突起８１を、取付枠５の上面の溝５１に嵌め込むことができる。側固定金具８の突起８１を、取付枠５の上面の溝５１に嵌め込んだ後、下側固定金具７を下方に移動させて、水平面部７１とポストカバー６の底面部６２に設けられた貫通孔７３、６３の位置が合うようにする。そして、ポストカバー６の底面部６２の中央部に設けられた貫通孔６３と、下側固定金具７の水平面部７１の中央部に設けられた貫通孔７３とに、下方より上向きに固定具９を挿通する。固定具９を締結することにより、ポストカバー６を壁体２に取り付けることができる。
【００４９】
以上のように、本発明を添付図面に示す実施形態に基づいて説明したが、本発明は上記の実施形態に限定されるものではなく、適宜の設計変更が可能である。
【００５０】
本発明の郵便受けの設置構造は、ポスト本体およびインターフォンが一体化したデザイン上の統一感があり、しかも、ポストカバーを固定する固定具が目立たず、すっきりとした外観を備える意匠性の高い郵便受けの設置構造を提供することができる。さらにまた、施工性およびメンテナンス性に優れた郵便受けの設置構造を提供することができる。
【符号の説明】
【００５１】
１  郵便受けの設置構造
２  壁体
２１  取付孔
２２  壁面
２３  モルタル
３  ポスト本体
３１  前面
４  インターフォン
５  取付枠
５１  溝
６  ポストカバー
６１  裏面
６２  底面部
７  下側固定金具
８  上側固定金具
８１  突起
８２  係止部
８３  立設面部
９  固定具
【図１】
0006675096.tif 000002
【図２】
0006675096.tif 000003
【図３】
0006675096.tif 000004
【図４】
0006675096.tif 000005
【図５】
0006675096.tif 000006
【図６】
0006675096.tif 000007